(57)【要約】【課題】パネル開口部のドア部材を開放した際に、車両スペース側へ突出することがなく、開口部の内側に位置する物品収納ボックスから物品を容易に取出すことができる。【解決手段】インストルメントパネル３０に設けた開口部３２と、この開口部３２を常には開閉自在に閉成し、開放時には後退して該開口部３２の内側へ全面的に退避するドア部材３４と、前記開口部３２の内側に傾動自在に配設され、前記ドア部材３４の開放に伴なう後退動作に連動して手前側下方へ傾動する物品収納ボックス３６とから構成した。【選択図】図１
2005029093.tif 000002
【特許請求の範囲】
【請求項１】
インストルメントパネル(30)に設けた開口部(32)と、
この開口部(32)を常には開閉自在に閉成し、開放時には後退して該開口部(32)の内側へ全面的に退避するドア部材(34)と、
前記開口部(32)の内側に傾動自在に配設され、前記ドア部材(34)の開放に伴なう後退動作に連動して手前側下方へ傾動する物品収納ボックス(36)とから構成した
ことを特徴とする物品収納機構。
【請求項２】
前記ドア部材(34)は前記開口部(32)に対向的に臨むよう配設され、左右に開放して該開口部(32)の内側へ退避するようになっている請求項１記載の物品収納機構。
【請求項３】
前記物品収納ボックス(36)は、水平な支持軸(54)を介して前記開口部(32)の内側に傾動自在に軸支され、前記ドア部材(34)の後退運動に連動して前進移動する押圧部材(42)の押圧作用下に手前側下方へ傾動するようになっている請求項１記載の物品収納機構。
【請求項４】
前記物品収納ボックス(36)は、水平な支持軸(54)を介して前記開口部(32)の内側に傾動自在に軸支され、前記ドア部材(34)の後退運動に連動して後退移動する引張部材(43)の引張作用下に手前側下方へ傾動するようになっている請求項１記載の物品収納機構。
【請求項５】
前記ドア部材(34)に第１ラック(62)を形成すると共に、前記押圧部材(42)に第２ラック(64)を形成することで、前記第１ラック(62)および第２ラック(64)を歯車列(44)を介して連結した請求項３記載の物品収納機構。
【請求項６】
前記ドア部材(34)に第１ラック(62)を形成すると共に、前記引張部材(43)に第２ラック(64)を形成することで、前記第１ラック(62)および第２ラック(64)を歯車列(44)を介して連結した請求項４記載の物品収納機構。
【発明の詳細な説明】
【技術分野】
【０００１】
本発明は、車両用インストルメントパネルに配設される物品収納機構に関し、更に詳しくは、該パネルの開口部を閉成しているドア部材を開放した際に、該ドア部材が車両の乗員スペースの側へ突出することがなく、また該開口部の内側に位置する物品収納ボックスから物品を容易に取出すことができる物品収納機構に関するものである。
【背景技術】
【０００２】
車両用インストルメントパネルには、例えばグローブボックスのように、各種の物品を収納するポケットが一般に配設される。このグローブボックスは、インストルメントパネルの開口部を開閉自在に閉成するドア部材と、該ドア部材の裏側に配設固定される物品収納ボックスとからなり、その開放に伴ない一体的に操作者の手前側に斜め下方へ傾動し、また閉成に伴ない一体的に前記開口部内へ収納されるようになっている。すなわちグローブボックスのドア部材を手前側の斜め下方へ傾動させると、該ドア部材の裏側に設けた物品収納ボックスも同じく傾動し、これにより該ボックスからの物品の取出し等をなし得るものであった。
【０００３】
ところで、図１０で示すワンボックスカー等のワゴン車では、運転席２０と助手席２２との間に従来あったセンターコンソール等をなくし、両席の間隔を充分とることで、乗員が前方座席と後方座席の間を自由に往来し得るようにした所謂ウォークスルータイプとしたものが普及している。このウォークスルータイプの車両では、図１１に示すように、インストルメントパネル１０の略中間に物品収納手段を設けることが多い。一例として、インストルメントパネル１０の略中央部分に、水平方向に開放する所要寸法の開口部１４を開設し、該開口部１４を開閉自在にドア部材１６で閉成する物品収納機構が採用されている。このドア部材１６の下部両端は、支軸２６を介して開口部１４の下方に傾動自在に枢支され、該ドア部材１６の裏側にポケット状の小物入れ１８が一体的に配設されるようになっている。なお、図１１のインストルメントパネル１０において、符号１２は液晶画面等の画面操作系１２を示し、また符号２４はカップホルダ２４を示している。
【０００４】
前述した従来の小物入れ１８は、先に述べた如く支軸２６を中心として、ドア部材１６と共に、車両の内部空間に向けて斜め下方へ傾動して開放するようになっている。しかし、このような構成に係る物品収納機構では、ドア部材１６がインストルメントパネル１０の略垂直面から手前側へ突出する形で斜めに開放するため、前記ウォークスルータイプの車両では、乗員が該インストルメントパネル１０の近傍を移動する際の支障となる欠点があった。また図１２から判明する如く、小物入れ１８の上部開口はドア部材１６の裏側に開放しているので、該小物入れ１８から物品を取出す際に、乗員の手指等がドア部材１６の頂部端縁に触れて該物品を取出し難い欠点があった。殊に最近は、飲料水の容器として各種寸法のペットボトルが使用されるが、インストルメントパネル１０から水平に引出した前記カップホルダ２４に該ボトルを載せると、これが各種スイッチを操作する際の支障となる難点が指摘される。また、前記小物入れ１８は、ペットボトルを収納することは初めから予定していないのが現状である。
【特許文献１】特開平７−１１２６４３号
【発明の開示】
【発明が解決しようとする課題】
【０００５】
本発明が解決しようとする課題は、車両のインストルメントパネルにグローブボックス等の物品収納部を配設した際に、該収納部の開口部分に設けたドア部材が開放時に車両内部空間に斜めに突き出て、ウォークスルー時の差し支えになる点と、該ドア部材の後ろ側に設けた小物入れ等のポケットからの物品取出しが難しい点である。
【課題を解決するための手段】
【０００６】
前記課題を克服するため本発明に係る物品収納機構は、インストルメントパネルに設けた開口部と、この開口部を常には開閉自在に閉成し、開放時には後退して該開口部の内側へ全面的に退避するドア部材と、前記開口部の内側に傾動自在に配設され、前記ドア部材の開放に伴なう後退動作に連動して手前側下方へ傾動する物品収納ボックスとから構成したことを特徴とする。
【発明の効果】
【０００７】
本発明に係る物品収納機構によれば、ドア部材の開放時に該ドア部材はインストルメントパネルの裏側に完全に後退して退避状態となるため、ウォークスルー等に際しても障害となることがなく、また開放時には物品収納ボックスの前方にドア部材が存在しないので、該ボックスに対する各種物品の出し入れを容易になし得る、という有益な効果を奏する。
【発明を実施するための最良の形態】
【０００８】
次に、本発明に係る物品収納機構につき、最良の実施形態を例示して、添付図面を参照しながら以下説明する。なお図示例のインストルメントパネルは、ウォークスルータイプのワンボックスカーに配設されるものをイメージしているが、これに限定されるものでないことは勿論である。
【実施例１】
【０００９】
図１は、本発明の最良の形態に係る物品収納機構の主要機構を分解状態で示す斜視図で、左右に開放する一対のドア部材は図示を省略してある。図２は、実施例に係る物品収納機構の外観斜視図であって、一対のドア部材は閉成状態で示され、図３は図２のIII−III線概略断面図である。また図４は、物品収納機構における一対のドア部材を開放して、インストルメントパネルの裏側へ完全に後退させた状態を示す斜視図であり、図５は図４のV−V線概略断面図である。更に図６は、図２に対応する一部切欠平面図であり、図７は、図４に対応する一部切欠平面図である。
【００１０】
図２および図４に示すように、車両用インストルメントパネル３０の適宜の位置に略矩形状の開口部３２が開設されて、乗員スペース側へ略水平に指向している。この開口部３２には、一対のドア部材３４,３４が開閉自在に設けられて、常には該開口部３２を閉成すると共に、開放時には後退して該開口部３２の内側へ全面的に退避するようになっている。また後述する如く、前記開口部３２の内側には、ドア部材３４,３４の開放に伴なう後退操作と連動して、手前側下方へ向けて斜めに傾く物品収納ボックス３６が傾動自在に配設されている。
【００１１】
(物品収納機構の概略構成)
図６に示す如く一対のドア部材３４,３４は、平面において緩やかな円弧状面を有し、夫々のドア部材３４の内側に同じく円弧状をなす第１ラック６２が設けられている。この第１ラック６２には、開口部３２の内部に水平に配設した歯車列４４(後述)が噛み合うようになっている。そして前記歯車列４４を回転駆動することで、第１ラック６２が取付けられている各ドア部材３４を左右方向へ移動させ、前記開口部３２の開放および閉成をなし得るようになっている。また前記開口部３２の内側の定位置には、各種物品の収納保管に供される物品収納ボックス３６が傾動自在に設けられ、閉成中のドア部材３４,３４の裏側に近接して臨んでいる。この物品収納ボックス３６は、前記歯車列４４により水平方向へスライド駆動される押圧部材４２(後述)の押圧作用下に、図５に示すように手前側へ傾動可能になっている。
【００１２】
(ドア部材の駆動機構)
ドア部材３４,３４の開閉機構および押圧部材４２の押圧機構の詳細を、図１を参照して説明する。インストルメントパネル３０に開設した前記開口部３２の内側には、矩形状の支持基板３８が水平に配設されている。この支持基板３８の左右前方には一対のトラニオン４８,４８が平行に立設され、夫々のトラニオン４８には円弧孔５０および支持孔５２が開設されている。また物品収納ボックス３６の下方側面には、支持軸５４およびガイドピン５６が所要の位置関係をもって水平に突設されている。そして図３に想像線で示すように、物品収納ボックス３６の支持軸５４およびガイドピン５６を、各トラニオン４８の支持孔５２および円弧孔５０へ対応的に挿入することで、該物品収納ボックス３６は両トラニオン４８,４８に支持軸５４を中心に所要円弧距離だけ傾動可能に抱持される。すなわち円弧孔５０は、図３に示す物品収納ボックス３６の直立位置と、図５に示す物品収納ボックス３６の傾動位置とを限界付けている。
【００１３】
図１の支持基板３８において、トラニオン４８,４８の立設位置より後方の中央部分には、所要長の案内長溝５８が穿設されると共に、該案内長溝５８を挟む両側に所要距離だけ離間して所要長のガイドレール６０,６０が平行に突設されている。また支持基板３８の裏面で、かつ僅か手前側の左右両端近傍には、下方に指向して各一対の突起７２,７２が突設されている。
【００１４】
図１において符号４６は板状のブラケット４６を示し、該ブラケット４６には相互に噛み合う第１歯車６６,第２歯車６８,第３歯車７０が枢支されて、前記歯車列４４を構成している。前記ブラケット４６に形成した段部７５には一対の通孔７４,７４が開設され、該通孔７４,７４に前記支持基板３８の突起７２,７２を対応的に強制嵌入することで、前記ブラケット４６は支持基板３８の左右に水平に配設される。そして図６に示す組上り状態において、前記ドア部材３４の裏側に形成した第１ラック６２が前記歯車列４４の第１歯車６６に噛み合い、また前記押圧部材４２に設けた直線状の第２ラック６４(後述)が前記歯車列４４の第３歯車７０に噛み合うようになっている。なお、前記歯車列４４における例えば第３歯車７０の回転軸は電動モータ(図示せず)に直結され、インストルメントパネル３０上での適宜のスイッチ操作により該モータが回転駆動されて、該歯車列４４を所要方向に回転させるようになっている。
【００１５】
(押圧部材の駆動機構)
図１において符号４０は矩形状板材からなるスライダを示し、該スライダ４０の左右両端縁に第２ラック６４,６４が設けられると共に、該スライダ４０の前方側端縁には、開放端にテーパ４２ａを付した押圧部材４２が一体的に設けられている。このスライダ４０の裏側後方側の中央位置には、前記案内長溝５８へ挿入可能なガイドピン６５が突設されると共に、該スライダ４０の裏面には、前記ガイドレール６０と摺動自在に嵌合する山形溝８８,８８が平行に凹設されている。そして図６および図７に示すように、前記スライダ４０は支持基板３８の所要位置に載置される。その正規位置への載置状態において、前記スライダ４０の裏側に突設したガイドピン６５が、前記支持基板３８の案内長溝５８に挿入されて、該案内長溝５８の長手方向に沿って案内されるようになっている。また、スライダ４０の裏面に凹設した山形溝８８,８８は、対応のガイドレール６０,６０に嵌合し、該スライダ４０を支持基板３８に対し所要距離だけ前後方向へ摺動させ得るようになっている。
【００１６】
支持基板３８の所定位置にスライダ４０を載置した状態において、図６に示すように、該スライダ４０の両側に設けた前記第２ラック６４の夫々は、前記歯車列４４における第３歯車７０と噛み合うようになっている。またスライダ４０に一体的に設けられて水平に延出している押圧部材４２は、待機状態にある図３に示す如く、そのテーパ面４２ａを物品収納ボックス３６の後部下端面に近接的に指向している。
【００１７】
(ドア閉成状態について)
図６は、一対のドア部材３４,３４を閉成して、物品収納ボックス３６からの物品の取出しまたは物品の投入を待機している状態を示し、スライダ４０は支持基板３８に対し最も大きく後退した位置で停止している。すなわちスライダ４０に突設したガイドピン６５は、支持基板３８に開設した案内長溝５８の最奥部に位置して最大後退位置を規定している。またスライダ４０の前方に延出する押圧部材４２のテーパ面は、図３に示す如く、物品収納ボックス３６の下部後端面から僅かに離間して位置している。
【００１８】
(ドア開放状態について)
図７は、一対のドア部材３４,３４を開放した状態を示すものであって、歯車列４４と第１ラック６２および第２ラック６４の噛み合い作用下に、前記スライダ４０が支持基板３８に対し水平にスライドして前方へ所要距離だけ延出している。すなわちスライダ４０のガイドピン６５は、支持基板３８における案内長溝５８の最手前部に位置して最大延出位置を規定している。このとき図５に示す如く、前記スライダ４０に設けた押圧部材４２のテーパ面４２ａが、前記物品収納ボックス３６の下方後端面に当接して強制的に前方付勢するようになっている。このため物品収納ボックス３６は、支持軸５４を中心として斜め前方へ傾動される。但し、図示例に係る物品収納機構では、物品収納ボックス３６が開口部３２より外方へ飛び出さない寸法に設定してあるが、乗員が移動(ウオークスルー)するのに差し支えない程度であれば、僅かに外方へ飛び出てもよいことは勿論である。
【００１９】
(ボトルの高さ調節について)
本発明の実施例では、物品収納ボックス３６は市販の飲料ボトルを収納し得る仕様になっていて、その頂部に開設した２つの挿入孔７８,７８の夫々にボトル７６を挿入するようになっている。なおボトル７６には、例えば容量３５０mｌと５００mｌのように、同じ直径でありながら高さ寸法の異なるタイプがある。そこで高さ寸法の小さいボトル７６であっても、そのキャップ部分が物品収納ボックス３６から突出する寸法が、高さ寸法の大きいボトルのそれと大差なくするために、例えば図８に示す構成を採用するのが好ましい。
【００２０】
この構成を簡単に説明すると、物品収納ボックス３６の手前側中央部分に、受板支持部材８２がピン８３を中心として回動自在に枢支されている。この受板支持部材８２はスリットを有し、該スリットに対しボトル受板８０が摺動自在に挿入され得るようになっている。そして図８(a)に示すように、ボトル受板８０を水平に物品収納ボックス３６の内部へ延出させ、該物品収納ボックス３６の所要位置に突設した支持突片８４に該ボトル受板８０の一端部を係止させることで、高さ寸法の小さいボトル７６であっても、そのキャップ部分が上方へ突出する寸法を変えることなく支持可能である。また高さ寸法の大きいボトル７６を収納するときは、図８(b)に示す如く、ボトル受板８０を受板支持部材８２から水平に引出してから垂直に下降させることで、物品収納ボックス３６の内部に該ボトル７６をそっくり収納することができる。なお前記ピン８３を設ける高さは、小さい寸法のボトル７６を前記ボトル受板８０で支持した際に、該ボトル７６のキャップ部分が物品収納ボックス３６から適当な距離をおいて突出する程度に設定される。
【実施例２】
【００２１】
前述した実施例１に係る物品収納機構は、一対のドア部材３４,３４の開放動作に連動してスライダ４０を車両空間側へ前進させ、前記押圧部材４２により物品収納ボックス３６の後部下端面を押圧することで、該物品収納ボックス３６を傾動させるものであった。しかしこの構成に変えて、ドア部材３４,３４の開放動作に伴ない引張り動作を行なわせることで、物品収納ボックス３６を傾動させるようにしてもよいことは勿論である。図９は、実施例２に係る物品収納機構を概略的に示すものであって、例えば前記歯車列４４を構成している複数の歯車の数を１個減らすか、または１個加えることによって、前記スライダ４０をドア部材３４,３４の開放動作に伴ない後退移動させることができる。また前記スライダ４０には、前記押圧部材４２に代わる部材として引張部材４３が一体的に成形され、該引張部材４３は物品収納ボックス３６の後端部にリンクバー４５を介して連接されている。
【００２２】
従って図９の(a)に示す待機位置では、一対のドア部材３４,３４は閉成状態にあって、物品収納ボックス３６は直立状態になっている。また引張部材４３は、前記スライダ４０と共に最も手前側の位置へ前進している。しかるに前述したモータ(図示せず)を駆動して歯車列４４を所要方向へ回転させると、前記スライダ４０は引張部材４３と共に最も奥まった後方位置へ水平に後退する。これにより物品収納ボックス３６の後端部に連接したリンクバー４５は、図９の(b)に示す如く引張部材４３により矢印方向へ引張られ、該物品収納ボックス３６を斜め前方へ傾動させることができる。この場合に、物品収納ボックス３６を枢支する支持軸５４の配設位置は、該物品収納ボックス３６の略中間高さに設定される。
【００２３】
(実施例の動作)
次に、実施例１に係る物品収納機構の動作について説明する。一対のドア部材３４,３４は、常には図２および図６に示すように、開口部３２を閉成した状態となっている。従って図３に示す如く、前記押圧部材４２の開放端をなすテーパ面４２ａは、物品収納ボックス３６の後部下端面に対し僅かに離間した状態で水平に待機している。
【００２４】
この状態において、例えば操作者がインストルメントパネル３０上のスイッチ(図示せず)を操作すると、前記モータが回転駆動して歯車列４４を図７に示す方向へ回転させる。この歯車列４４を構成する第１歯車６６は、各ドア部材３４の裏側に設けた第１ラック６２に噛み合っており、また該歯車列４４を構成する第３歯車７０はスライダ４０の側部に設けた第２ラック６４に噛み合っている。従って歯車列４４と第１ラック６２の噛合作用下に、一対のドア部材３４,３４は左右に移動させられて、前記開口部３２の内部へ完全に後退するに至る。また同時に、歯車列４４と第２ラック６４の噛合作用下に、前記スライダ４０は支持基板３８に対し前方へ所要距離だけスライドするに至る。
【００２５】
前記スライダ４０の前方へのスライドに伴ない、該スライダ４０に一体的に設けた前記押圧部材４２も前方へ移動し、図５に示す如く、そのテーパ面４２ａを物品収納ボックス３６の後部下端面へ当接させる。押圧部材４２の更なる前進により物品収納ボックス３６は、支持軸５４を中心として時計方向へ傾動する。このとき前記ドア部材３４,３４は、インストルメントパネル３０の裏側へ完全に退避して開口部３２を全開しているので、乗員は物品収納ボックス３６に収納した例えばボトル７６を簡単に取出したり、また該ボトル７６を挿入したりすることができる。またドア部材３４,３４は、インストルメントパネル３０の内側に取込まれていて車両空間側へは出張らないので、乗員が車両内で移動(ウォークスルー)する際の障害となることもない。
【００２６】
次に、スイッチを操作して前記モータおよび歯車列４４を反転させると、一対のドア部材３４,３４は相互に近接する方向へ移動して前記開口部３２を閉成する。またスライダ４０および押圧部材４２も後退するので、該押圧部材４２のテーパ面４２ａは物品収納ボックス３６の後部下端面から離脱する。これにより物品収納ボックス３６は、その自重により支持軸５４を中心として反時計方向へ傾動して直立状態に復帰する。
【００２７】
このように実施例に係る物品収納機構によれば、ドア部材３４,３４の開放時に各ドア部材３４はインストルメントパネル３０の裏側に完全に後退して退避状態となるため、ウォークスルー等に際しても障害となることがない。また開口部３２の開放時には、物品収納ボックス３６の前方にドア部材３４,３４が存在しないので、該物品収納ボックス３６に対するボトル等の各種物品の出し入れを容易になし得る利点がある。なお、前述した実施例では、電動モータを駆動源としてドア部材３４,３４の開閉および物品収納ボックス３６の傾動を行なわせるようになっているが、電動駆動方式を採用することは本発明の要件ではない。例えば、乗員の手動操作によりドア部材の開閉を行ない、この開閉動作に連動して物品収納ボックスを傾動させたり、スプリングに圧縮弾力を蓄積させておき、該スプリングの弾力解放によって該ドア部材や物品収納ボックスを作動させるようにしてもよい。
【図面の簡単な説明】
【００２８】
【図１】最良の実施形態に係る物品収納機構の主要機構を分解状態で示す斜視図であって、左右一対のドア部材は図示を省略してある。
【図２】最良の実施形態に係る物品収納機構の外観斜視図であって、一対のドア部材を閉じた状態で示してある。
【図３】図２のIII−III線概略断面図である。
【図４】物品収納機構の外観斜視図であって、一対のドア部材を開放した状態で示してある。
【図５】図４のＶ−Ｖ線概略断面図である。
【図６】一対のドア部材を閉じた物品収納機構を、一部切欠いて示す平面図である。
【図７】一対のドア部材を開放した物品収納機構を、一部切欠いて示す平面図である。
【図８】物品収納ボックスに収納されるボトルに高低差があっても、該ボックスから突出するボトルの高さを一定に保つ構造を示す概略断面図である。
【図９】物品収納ボックスを傾動させる機構として、引張り機構を採用した例を示す概略断面図である。
【図１０】ウォークスルーを実現したワンボックスカーを、一部破断して示す平面図である。
【図１１】インストルメントパネルに設けた従来技術に係る小物入れを、斜め前方へ傾動させて開放した状態を示す概略斜視図である。
【図１２】図１１の従来技術に係る小物入れを、傾動させて開放した状態を示す概略側面図である。
【符号の説明】
【００２９】
３０  インストルメントパネル
３２  開口部
３４  ドア部材
３６  物品収納ボックス
４２  押圧部材
４３  引張部材
４４  歯車列
５４  支持軸
６２  第１ラック
６４  第２ラック
【図１】
2005029093.tif 000003
【図２】
2005029093.tif 000004
【図３】
2005029093.tif 000005
【図４】
2005029093.tif 000006
【図５】
2005029093.tif 000007
【図６】
2005029093.tif 000008
【図７】
2005029093.tif 000009
【図８】
2005029093.tif 000010
【図９】
2005029093.tif 000011
【図１０】
2005029093.tif 000012
【図１１】
2005029093.tif 000013
【図１２】
2005029093.tif 000014